(57)【特許請求の範囲】
【請求項１】
回転テーブルを備えた陶芸用ろくろであって、
回転軸を回転駆動させる駆動源を有するろくろ本体と、
前記回転軸により回転自在に、前記ろくろ本体の上部に取り付けられる固定テーブルと、
該固定テーブルの上部に取り付けられる回転テーブルと、
中央部に開口部を有し、前記回転テーブルの下方および側方を覆うように配置され、該回転テーブルの上面から飛び散るまたは落下する泥水などを受ける凹部を備えたどべ受けと、を有し、
前記どべ受けの開口部の径は、前記固定テーブルの外径より大きく、前記回転テーブルの外径より小さく、
前記どべ受けは、一体的に形成され、
前記どべ受けは、前記どべ受けの開口部近傍に設けられた突起部を前記ろくろ本体に設けられたストッパーに係止することにより、前記ろくろ本体に取り付けられることを特徴とする陶芸用ろくろ。
【請求項２】
前記どべ受けの凹部の内面には、泥水などが該凹部から溢れ出す目安を示すオーバーフロー限界ラインが設けられたことを特徴とする請求項１に記載の陶芸用ろくろ。
【請求項３】
前記どべ受けの外面には、前記凹部から溢れ出した泥水などを外部に排出する排水溝が形成されたことを特徴とする請求項１または２に記載の陶芸用ろくろ。
【請求項４】
前記ろくろ本体の上面は、前記凹部から溢れ出した泥水などが前記回転軸の軸受け部に浸入しないように、前記回転軸の周辺を上部に突起させたことを特徴とする請求項１〜３のいずれかに記載の陶芸用ろくろ。
【発明の詳細な説明】
【技術分野】
【０００１】
本発明は、陶芸品の材料となる粘土を好みの形に造りあげる際に使用する陶芸用ろくろに関する。
【背景技術】
【０００２】
従来から、ターンテーブルと、ターンテーブルの下方及び側方の周囲を覆うよう配置されるどべ受けと、ターンテーブルを回転駆動するためのモータとを備えた陶芸用ろくろが知られている。この従来から使用されているどべ受けは、一体的に形成されたもの（一体型どべ受け）がほとんどであった。このような一体型どべ受けでは、陶芸用ろくろからどべ受けを取り外す際に、陶芸用ろくろの構造上、ターンテーブルの外径がどべ受けの開口部の径より大きいことから、ターンテーブルを取り外すことが必要であった。また、その取り外し取り付けも、ターンテーブルが、通常六角ボルトなどで固定されていることから煩雑な作業が必要であった。
【０００３】
この問題を解決するために、出願人は、どべ溜め可能な凹部を設けたどべ受けを周方向に分割することによって、互いに着脱自在に連結可能にした陶芸用ろくろ（分割型どべ受け）を提案している（たとえば、特許文献１）。
【０００４】
【特許文献１】特開２００５−７４８０１号公報
【発明の開示】
【発明が解決しようとする課題】
【０００５】
分割型どべ受けは、ターンテーブルを離さなくても、各分割皿部を互いに水平移動させることでどべ受けを簡単に取り外すことができるので、凹部に溜まった泥水などがこぼれてしまうことがないといったとても優れたものであったが、分割部分から泥水などが漏れることがあるという改良すべき点もあった。
【０００６】
本発明は上記問題点に鑑みてなされたもので、溜まった泥水などをこぼすことなく、どべ受けを容易に取り付け取り外すことができる陶芸用ろくろを提供することを目的とする。
【課題を解決するための手段】
【０００７】
上記課題を解決し上記目的を達成するために、本発明のうち第１の態様に係るものは、回転テーブルを備えた陶芸用ろくろであって、回転軸を回転駆動させる駆動源を有するろくろ本体と、回転軸により回転自在に、ろくろ本体の上部に取り付けられる固定テーブルと、該固定テーブルの上部に取り付けられる回転テーブルと、中央部に開口部を有し、回転テーブルの下方および側方を覆うように配置され、該回転テーブルの上面から飛び散るまたは落下する泥水などを受ける凹部を備えたどべ受けと、を有し、どべ受けの開口部の径は、固定テーブルの外径より大きく、回転テーブルの外径より小さく、どべ受けは、一体的に形成され、どべ受けは、どべ受けの開口部近傍に設けられた突起部をろくろ本体に設けられたストッパーに係止することにより、ろくろ本体に取り付けられることを特徴とする。
【０００８】
本発明によれば、回転テーブルを固定テーブルの上部に取り付けた陶芸用ろくろを用い、どべ受けの開口部の径を、固定テーブルの外径より大きくし、回転テーブルの外径より小さくしているので、どべ受けの取り外しの際に、固定テーブル（ターンテーブル）を取り外す必要がなく、どべ受けを上部に引き上げることにより、陶芸用ろくろからどべ受けを容易に取り外すことができる。さらに、どべ受けを上部に引き上げることにより、陶芸用ろくろからどべ受けを取り外すことができるので、凹部に溜まった泥水などをこぼすといったおそれもない。
また、一体型どべ受けを使用しているので、分割部分から泥水などが漏れるおそれもなく、どべなどの漏れを完全に防ぐことができる。
また、どべ受けの開口部近傍に設けられた突起部がろくろ本体に設けられたストッパーに係止されることにより、どべ受けをろくろ本体に容易に取り付けることができ、ろくろ本体に固定することができる。また、逆に、突起部がストッパーに係止していることを解除することにより、どべ受けをろくろ本体から容易に取り外すことができる。
【００１３】
本発明のうち第２の態様に係るものは、第１の態様に係る陶芸用ろくろであって、どべ受けの凹部の内面には、泥水などが凹部から溢れ出す目安を示すオーバーフロー限界ラインが設けられたことを特徴とする。
【００１４】
本発明によれば、どべ受けの凹部の内面に、泥水などが凹部から溢れ出す目安を示すオーバーフロー限界ラインが設けられているので、陶芸用ろくろの使用者は、泥水などがオーバーフロー限界ラインまで溜まっているかを確認しながら作業することができ、凹部に溜まった泥水などがこぼれるのを未然に防止することができる。
【００１５】
本発明のうち第３の態様に係るものは、第１または２の態様に係る陶芸用ろくろであって、どべ受けの外面には、凹部から溢れ出した泥水などを外部に排出する排水溝が形成されたことを特徴とする。
【００１６】
本発明によれば、どべ受けの外面に、凹部から溢れ出した泥水などを外部に排出する排水溝が形成されているので、この排水溝からどべ受けの凹部から溢れ出した泥水などを外部に排出させることができ、使用者が予期せぬ位置から泥水などが外部へ排出することを防止できる。
【００１７】
本発明のうち第４の態様に係るものは、第１〜３のいずれかの態様に係る陶芸用ろくろであって、ろくろ本体は、凹部から溢れ出した泥水などが回転軸の軸受け部に浸入しないように、回転軸の周辺を上部に突起させたことを特徴とする。
【００１８】
本発明によれば、凹部から溢れ出した泥水などが回転軸の軸受け部に浸入しないように回転軸の周辺を上部に突起させているので、軸受け部やモータなどの駆動部に泥水などが浸入することがなく、駆動部の不具合を防止することができる。
【発明の効果】
【００１９】
本発明の陶芸用ろくろによれば、溜まった泥水などをこぼすことなく、どべ受けを容易に取り付け取り外すことができる。
【発明を実施するための最良の形態】
【００２０】
次に、本発明の陶芸用ろくろの一実施形態を図面にもとづいて説明する。図１は、本発明の一実施形態における陶芸用ろくろの外観斜視図であり、図２は、同陶芸用ろくろの分解図である。また、図３は、図１のＡ−Ａ断面を示す図である。
【００２１】
図１〜図３に示すように、陶芸用ろくろ１は、ろくろ本体２と、固定テーブル３と、回転テーブル４と、どべ受け５など、を備えている。
【００２２】
ろくろ本体２は、使用時にはテーブルや床面（図示略）などに載置され、陶芸用ろくろ１のベースとなる部材である。ろくろ本体２の内部には、回転軸６の駆動源となる駆動モータ（図示略）の他、制御装置（図示略）などが備えられており、また、ろくろ本体２の側面には、陶芸用ろくろ１のオンオフスイッチである電源スイッチ７と、固定テーブル３の回転速度を調整するための回転操作スイッチ８などを備えられている。なお、ろくろ本体２には、別途固定テーブル３の回転方向（正逆回転）を操作するための操作スイッチ（図示略）も設けられている。また、後述するように、ろくろ本体２の上面には、どべ受け５に設けられた突起部９と係止するストッパー１０が設けられ、また、回転軸６の周辺を上部に突起させた泥水浸入防止突起部１００が設けられている。
【００２３】
固定テーブル３は、円板状形状で、ろくろ本体１の上部に取り付けられる。固定テーブル３は、回転軸６により軸着されている。これにより、駆動モータの駆動力により、固定テーブル３を回転させることができる。また、後述するように、固定テーブル３の上面には、回転テーブル４の位置を規制する位置規制突起部１２が設けられている。なお、回転軸６は、図３に示すように、軸受１１により支持されている。
【００２４】
回転テーブル４は、円板状形状で、固定テーブル３の上部に取り付けられる。回転テーブル４の下面には、固定テーブル３の位置規制突起部１２と勘合する位置規制凹部１３が設けられている。この位置規制凹部１３に位置規制突起部１２が勘合されることにより、固定テーブル３に対する回転テーブル４の位置を固定して、回転テーブル４を設置することができる。なお、回転テーブル４は、合成樹脂などでできている。
【００２５】
このように、ろくろ本体２の内部に設けられた駆動モータの駆動力により、回転テーブル４を固定テーブル３と一体となって回転させることができる。
【００２６】
どべ受け５は、回転テーブル４の上面から飛び散るまたは落下する泥水などを受けるもので、中央部に開口部１４を有し、回転テーブル４の下方および側方を覆うように配置されている。どべ受け５は、底面部１５と、底面部１５の外周部から上方に延びる内面側壁部１６と外面側壁部１７とを有しており、この底面部１５と内面側壁部１６と外面側壁部１７から回転テーブル４の上面から飛び散るまたは落下する泥水などを受ける凹部１８が形成されている。また、どべ受け５の凹部１８の内面には、泥水などが凹部１８から溢れ出す目安を示すオーバーフロー限界ライン１９が設けられ、さらに、どべ受け５の外面には、凹部１８から溢れ出した泥水などを陶芸用ろくろ１の外部に排出するための排水溝２０が形成されている。また、上述したように、どべ受け５の開口部１４近傍には突起部９が設けられ、この突起部９がろくろ本体２に設けられたストッパー１０に係止することにより、どべ受け５がろくろ本体２に固定して取り付けられる。ここで、どべ受け５の開口部１４の径は、固定テーブル３の外径より大きく、回転テーブル４の外径より小さく形成されている。
【００２７】
次に、本発明の一実施形態における陶芸用ろくろ１を組立方法について説明する。
【００２８】
まず、テーブルなどに載置されたろくろ本体２の上部から固定テーブル３が取り付けられる（図２、図３参照）。これにより、固定テーブル３は、回転軸６に固定された状態で取り付けられる。
【００２９】
次に、どべ受け５をろくろ本体２に取り付けるが、どべ受け５の開口部１４の径は、固定テーブル３の外径よりも大きく形成されているので、どべ受け５の開口部１４に固定テーブル３を通して、取り付けることができる。この取り付けに際しては、図４に示すように、どべ受け５を回転させて、どべ受け５に設けられた突起部９をろくろ本体２に設けられたストッパー１０に係止させる。これにより、どべ受け５が、ろくろ本体２に固定された状態で取り付けられる（図５参照）。
【００３０】
ここで、図４は、本発明の一実施形態におけるどべ受けの取付方法を示す図であり、図５は、本発明の一実施形態におけるどべ受けの突起部とろくろ本体のストッパーが噛合った状態を示す図である。
【００３１】
次に、固定テーブル３およびどべ受け５をろくろ本体２に取り付けた状態で、回転テーブル４を取り付ける。この取り付けに際しては、固定テーブル３の上面に設けられた位置規制突起部１２を回転テーブル４の下面に設けられた位置規制凹部１３に勘合させる。これにより、回転テーブル４が、固定テーブル３に固定された状態で取り付けることができる。
【００３２】
次に、本発明の一実施形態におけるどべ受け５の取外方法について説明する。
【００３３】
まず、回転テーブル４を取り外す。回転テーブル４は、固定テーブル３の位置規制突起部１２が回転テーブル４の位置規制凹部１３に勘合されて取り付けられているので、回転テーブル４を上部に持ち上げることにより、取り外すことができる。
【００３４】
次に、どべ受け５を取り外す。どべ受け５は、ろくろ本体２のストッパー１０にどべ受け５の突起部９が係止されて取り付けられているので、どべ受け５を回転（図４と逆方向）させて上部に持ち上げることにより、取り外すことができる。  
【００３５】
このように、どべ受け５の開口部１４の径を、固定テーブル３の外径より大きくし、回転テーブル４の外径より小さくしているので、どべ受け５の取り外しの際に、固定テーブル３を取り外す必要がなく、どべ受け５を回転させ上部に引き上げることにより、陶芸用ろくろ１からどべ受け５を容易に取り外すことができる。さらに、どべ受け５を上部に引き上げることにより、陶芸用ろくろ１からどべ受け５を取り外すことができるので、凹部１８に溜まった泥水などをこぼすといったおそれもない。
【００３６】
以上説明したように、どべ受け５の開口部１４近傍に設けられた突起部９がろくろ本体２に設けられたストッパー１０に係止されることにより、どべ受け５がろくろ本体２に容易に取り付けることができ、どべ受け５をろくろ本体２に固定することができる。また、逆に、突起部９がストッパー１０に係止していることを解除することにより、どべ受け５をろくろ本体２から容易に取り外すことができる。
【００３７】
なお、本実施形態では、一体的に形成されたどべ受け５を用いて説明したが、周方向に分割可能などべ受けを使用してもよい。この場合でも、どべ受けを分割せずに使用すれば、一体的に形成されたどべ受け５と同様の作用効果を奏することができる。
【００３８】
次に、本発明の一実施形態における陶芸用ろくろ１を使用方法について説明する。まず、電源スイッチ７をオンにして、回転操作スイッチ８を操作することにより、駆動モータが作動し、固定テーブル３および回転テーブル４が回転駆動する。これにより、回転テーブル４上の粘土、水等を用いて陶芸作業を行うことができる。また、この陶芸用ろくろ１では、回転テーブル４から外周側に飛び散る若しくは落下する泥水等は、どべ受け５によって受けられ、どべ受け５の凹部１８に溜まっていく。そして、使用者は、どべ受け５の凹部１８の泥水などがオーバーフロー限界ライン１９まで溜まっているか確認し、オーバーフロー限界ライン１９まで溜まっている場合は、どべ受け５を取り外して凹部１８内の泥水などを捨て、どべ受け５を洗浄することができる。
【００３９】
このように、どべ受け５の凹部１８の内面に、泥水などが凹部１８から溢れ出す目安を示すオーバーフロー限界ライン１９が設けられているので、陶芸用ろくろ１の使用者は、泥水などがオーバーフロー限界ライン１９まで溜まっているかを確認しながら作業することができ、凹部１８に溜まった泥水などがこぼれるのを未然に防止することができる。
【００４０】
そして、どべ受け５の凹部１８内の泥水などが、オーバーフロー限界ライン１９を超えて溜まっていくと、泥水などが内面側壁部１６を超えて、どべ受け５の開口部１４内に溢れ出す。そして、この溢れ出した泥水などは、どべ受け５に設けられた排水溝２０から陶芸用ろくろ１の外部に排出され、別途用意する泥水受け（図示略）などで受けることができる。
【００４１】
このように、どべ受け５の外面に、凹部１８から溢れ出した泥水などを外部に排出する排水溝２０が形成されているので、この排水溝２０からどべ受け５の凹部１８から溢れ出した泥水などを外部に排出させることができ、使用者が予期せぬ位置から泥水などが外部へ排出することを防止できる。
【００４２】
また、ろくろ本体２の上面は、凹部１８から溢れ出した泥水などが回転軸６の軸受け部に浸入しないように、回転軸６の周辺を上部に突起させた泥水浸入防止突起部１００が設けられている。これにより、軸受け部やモータなどの駆動部に泥水などが浸入することがなく、駆動部の不具合を防止することができる。
【００４３】
以上に開示された実施の形態はあらゆる点において代表的な例を示すものであり、何ら制限的なものではないと考慮されるべきである。本発明の範囲は上記した実施形態のみによらず、特許請求の範囲によって示されるものであり、特許請求の範囲と均等の意味及び範囲内でのすべての変更が含まれることが意図される。
【００４４】
以下、本発明の一実施形態における陶芸用ろくろの変形例について説明する。
【００４５】
（１）  本実施形態では、どべ受け５の開口部１４近傍に設けられた突起部９がろくろ本体２に設けられたストッパー１０に係止されることにより、どべ受け５がろくろ本体２に取り付けられるようにしたが、これに限らず、突起部９がどべ受け５の開口部１４近傍に設けられるものでなく、どべ受け５の底面部１５の外周面に設けられるようにしてもよい。この場合、ストッパー１０もどべ受け５の底面部１５の外周面の下部に設けられることになる。
【００４６】
（２）  本実施形態および変形例１では、どべ受け５に突起部９を設け、ろくろ本体２にストッパー１０を設けたが、これに限らず、どべ受け５にストッパーを設け、ろくろ本体２に突起部を設けるようにしてもよい。つまり、どべ受け５とろくろ本体２のいずれか一方に係止部を設け、他方に被係止部を設け、係止部が被係止部に係止されることにより、どべ受け５がろくろ本体２に取り付けられ、ろくろ本体２に固定されものであればよい。
【００４７】
（３）  本実施形態では、どべ受け５の外面に、凹部１８から溢れ出した泥水などを外部に排出する排水溝２０が形成されるものであったが、必ずしも、排水溝２０はどべ受け５の外周面上に形成される必要はなく、どべ受け５から開口部１４内に溢れ出した泥水などを陶芸用ろくろ１の外部に排水できる排水溝であれば、ろくろ本体２などに形成されるものであってもよい。これによっても、この排水溝により、どべ受け５の凹部１８から溢れ出した泥水などを外部に排出させることができ、使用者が予期せぬ位置から泥水などが外部へ排出することを防止できる。
【００４８】
（４）  本実施形態では、凹部１８から溢れ出した泥水などが回転軸６の軸受け部に浸入しないように、ろくろ本体２上面の回転軸６の周辺を上部に突起させた泥水浸入防止突起部１００を設けたが、これに限らず、ろくろ本体２上面に泥水浸入防止突起部１００を設けるのではなく、凹部１８から溢れ出した泥水などが回転軸６の軸受け部に浸入しないように、ろくろ本体２とは別体に泥水浸入防止部材を設け、それをろくろ本体２に取り付けるようにしてもよい。これによっても、モータなどの駆動部に泥水などが浸入することがなく、駆動部の不具合を防止することができる。
【図面の簡単な説明】
【００４９】
【図１】本発明の一実施形態における陶芸用ろくろの外観斜視図である。
【図２】同陶芸用ろくろの分解図である。
【図３】図１のＡ−Ａ断面を示す図である。
【図４】本発明の一実施形態におけるどべ受けの取付方法を示す図である。
【図５】本発明の一実施形態におけるどべ受けの突起部とろくろ本体のストッパーが噛合った状態を示す図である。
【符号の説明】
【００５０】
１  陶芸用ろくろ
２  ろくろ本体
３  固定テーブル
４  回転テーブル
５  どべ受け
６  回転軸
７  電源スイッチ
８  回転操作スイッチ
９  突起部
１０  ストッパー
１１  軸受
１２  位置規制突起部
１３  位置規制凹部
１４  開口部
１５  底面部
１６  内面側壁部
１７  外面側壁部
１８  凹部
１９  オーバーフロー限界ライン
２０  排水溝
１００  泥水浸入防止突起部
【図１】
0005154967.tif 000002
【図２】
0005154967.tif 000003
【図３】
0005154967.tif 000004
【図４】
0005154967.tif 000005
【図５】
0005154967.tif 000006